(57)【特許請求の範囲】
【請求項１】
眼鏡レンズの発注側に配置される発注側装置と、当該眼鏡レンズの玉型加工側に配置される受注側装置とが、通信回線を介して接続されてなる眼鏡レンズ受発注システムであって、
前記発注側装置は、コンピュータ部と、前記コンピュータ部への情報入力を行う操作部と、前記コンピュータ部からの指示に従って画像表示を行う表示部と、を備えており、
前記コンピュータ部は、
前記表示部が画像表示している前記眼鏡レンズの玉型形状を前記操作部での操作内容に従いつつ変形させる玉型変形手段と、
前記眼鏡レンズの基になる未加工レンズの形状レイアウトに関する情報を取得する情報取得手段と、
前記玉型変形手段による玉型形状の変形にあたり、前記情報取得手段が取得した情報から特定される前記未加工レンズの形状レイアウトを、当該玉型形状と合わせて前記表示部に画像表示させる表示制御手段と、を備え、
前記未加工レンズの形状レイアウトには、累進レンズの場合の遠用部および近用部の位置とバイフォーカルレンズの場合の小玉の配置との少なくとも一方が含まれる
ことを特徴とする眼鏡レンズ受発注システム。
【請求項２】
前記コンピュータ部は、前記表示制御手段が眼鏡レンズの玉型形状およびその基になる未加工レンズの形状レイアウトを前記表示部に画像表示させている状態で、当該眼鏡レンズについてのレンズ指定情報または当該眼鏡レンズと当該未加工レンズとの位置関係についてのレイアウト情報の少なくとも一方の変更を受け付けるデータ修正手段を備えており、
前記表示制御手段は、前記データ修正手段がデータ変更を受け付けると、変更後のデータ内容により特定される玉型形状および形状レイアウトを前記表示部に再表示させる
ことを特徴とする請求項１記載の眼鏡レンズ受発注システム。
【請求項３】
前記コンピュータ部は、前記玉型変形手段による変形後の眼鏡レンズの玉型形状についてのデータを当該眼鏡レンズの識別データと関連付けて記憶保持するデータ記憶手段を備え、または当該データ記憶手段へのアクセスを可能にする通信手段を備える
ことを特徴とする請求項１または２記載の眼鏡レンズ受発注システム。
【請求項４】
眼鏡レンズの発注側に配置される発注側装置と、当該眼鏡レンズの玉型加工側に配置される受注側装置とが、通信回線を介して接続されてなる眼鏡レンズ受発注システムの、前記発注側装置にて用いられる眼鏡レンズ発注プログラムであって、
前記発注側装置は、コンピュータ部と、前記コンピュータ部への情報入力を行う操作部と、前記コンピュータ部からの指示に従って画像表示を行う表示部と、を備えており、
前記眼鏡レンズ発注プログラムは、前記発注側装置における前記コンピュータ部を、
前記表示部が画像表示している前記眼鏡レンズの玉型形状を前記操作部での操作内容に従いつつ変形させる玉型変形手段と、
前記眼鏡レンズの基になる未加工レンズの形状レイアウトに関する情報を取得する情報取得手段と、
前記玉型変形手段による玉型形状の変形にあたり、前記情報取得手段が取得した情報から特定される前記未加工レンズの形状レイアウトを、当該玉型形状と合わせて前記表示部に画像表示させる表示制御手段として機能させるものであり、
前記未加工レンズの形状レイアウトには、累進レンズの場合の遠用部および近用部の位置とバイフォーカルレンズの場合の小玉の配置との少なくとも一方が含まれる
ことを特徴とする眼鏡レンズ発注プログラム。
【請求項５】
前記コンピュータ部を、前記表示制御手段が眼鏡レンズの玉型形状およびその基になる未加工レンズの形状レイアウトを前記表示部に画像表示させている状態で、当該眼鏡レンズについてのレンズ指定情報または当該眼鏡レンズと当該未加工レンズとの位置関係についてのレイアウト情報の少なくとも一方の変更を受け付けるデータ修正手段として機能させ、
前記表示制御手段は、前記データ修正手段がデータ変更を受け付けると、変更後のデータ内容により特定される玉型形状および形状レイアウトを前記表示部に再表示させる
ことを特徴とする請求項４記載の眼鏡レンズ発注プログラム。
【請求項６】
眼鏡レンズの発注側に配置される発注側装置と、当該眼鏡レンズの玉型加工側に配置される受注側装置とが、通信回線を介して接続されてなる眼鏡レンズ受発注システムで用いられる眼鏡レンズ発注方法であって、
前記発注側装置は、コンピュータ部と、前記コンピュータ部への情報入力を行う操作部と、前記コンピュータ部からの指示に従って画像表示を行う表示部と、を備えて構成されており、
前記表示部が画像表示している前記眼鏡レンズの玉型形状を前記操作部での操作内容に従いつつ前記コンピュータ部が変形させる玉型変形ステップと、
前記眼鏡レンズの基になる未加工レンズの形状レイアウトに関する情報を前記コンピュータ部が取得する情報取得ステップと、
前記玉型変形ステップでの玉型形状の変形にあたり、前記情報取得ステップで取得した情報から特定される前記未加工レンズの形状レイアウトを、前記コンピュータ部が当該玉型形状と合わせて前記表示部に画像表示させる表示制御ステップと、を備え、
前記未加工レンズの形状レイアウトには、累進レンズの場合の遠用部および近用部の位置とバイフォーカルレンズの場合の小玉の配置との少なくとも一方が含まれる
ことを特徴とする眼鏡レンズ発注方法。
【発明の詳細な説明】
【技術分野】
【０００１】
本発明は、眼鏡レンズの玉型の変形に対応可能な眼鏡レンズ受発注システム、眼鏡レンズ発注プログラムおよび眼鏡レンズ発注方法に関する。
【背景技術】
【０００２】
眼鏡レンズ受発注システムは、眼鏡店（すなわち眼鏡レンズの発注側）に配置される端末装置（以下、単に「発注側装置」という）と、眼鏡レンズメーカの加工センタ（すなわち眼鏡レンズの玉型加工側）に配置される端末装置（以下、単に「受注側装置」という）とが、インターネット等の通信回線を介して接続されてなるものである。そして、発注側装置にて、眼鏡店の店員の操作により、顧客が所望する眼鏡フレームのレンズ形状（玉型形状）、レンズ種類、レンズ材質、レンズ処方値等に関するデータが入力されると、その入力データを受注側装置へ送信することで、眼鏡レンズの発注を行うようになっている。一方、受注側装置では、発注側装置からの送信データの内容に従いつつ、眼鏡レンズの基になる未加工レンズの外径形状を指定された玉型形状に加工するようになっている。
【０００３】
ところで、いわゆるツーポイントやナイロール等といった枠なしフレーム（一部枠なしも含む）については、全周に枠が配されているメタルフレーム等とは異なり、玉型形状の変形（一部変形も含む）に対応することが可能である。このことから、眼鏡レンズ受発注システムの中には、発注側装置にて眼鏡レンズの玉型形状の変形に対応し得るように構成されたものがある（例えば、特許文献１〜３参照）。具体的には、特許文献１〜３に記載のように、発注側装置において、変形前のオリジナル玉型の形状をディスプレイ等の表示画面に画像表示しつつ、その表示画面上での玉型形状の変形を行えるようにし、変形後の玉型形状に関するデータを受注側装置へ送信するように構成されたものがある。
【先行技術文献】
【特許文献】
【０００４】
【特許文献１】特開２００６−２４３７０２号公報
【特許文献２】特開２００８−０８７１００号公報
【特許文献３】特許第３２５０１８４号公報
【発明の概要】
【発明が解決しようとする課題】
【０００５】
しかしながら、上述した従来システムでは、眼鏡レンズの玉型形状の変形にあたり、以下に述べるような難点が生じてしまう。
【０００６】
眼鏡レンズの玉型形状を変形させる場合には、変形後の玉型形状で加工を行う眼鏡レンズについて、レンズレイアウトに不具合が生じるのを避ける必要がある。レンズレイアウトの不具合とは、眼鏡レンズの玉型形状とその基になる未加工レンズの形状レイアウトとの関係における不具合、具体的には累進レンズの場合であれば遠用部または近用部が玉型変形により切れてしまうような不具合や、バイフォーカルレンズの場合であれば小玉の形状が不自然であったり見た目が良くないといった不具合等のことをいう。
ところが、従来システムにおいて眼鏡レンズの玉型形状を変形させる場合には、玉型形状の確定後、眼鏡レンズの発注先となる眼鏡レンズメーカの受注側装置に対して問い合わせを行うことで、レンズレイアウトの不具合発生有無を確認するようになっている。つまり、従来システムでは、玉型変形後のレンズレイアウトについて、発注側装置の問い合わせ機能を使用して行う受注側装置への問い合わせの結果に依らなければ、不具合発生の有無を確認することができない。
したがって、従来システムでは、レンズレイアウトに不具合があった場合、発注側装置にて表示画面上に眼鏡レンズの玉型形状の画像を呼び出してその形状を再度変形させたり、または発注側装置にて不具合が生じないような眼鏡レンズの種類への変更処理（再入力処理）を行わなければならない。このことは、眼鏡レンズの発注処理の完了までに多くの時間を費やしてしまい、迅速な発注処理の実現が困難であることを意味する。また、発注処理に多くの時間を要すると、顧客が不満を感じてしまうおそれがあり、発注側装置の操作者が煩わしさを感じてしまうおそれもある。
【０００７】
そこで、本発明は、眼鏡レンズの玉型形状の変形に対応する場合であっても、レンズレイアウトの不具合が生じることなく、当該眼鏡レンズの発注処理を従来システムよりも迅速に行うことを実現可能とし、これにより顧客の不満や操作者の煩わしさ等を解消することができる眼鏡レンズ受発注システム、眼鏡レンズ発注プログラムおよび眼鏡レンズ発注方法を提供することを目的とする。
【課題を解決するための手段】
【０００８】
本発明の第１の態様は、眼鏡レンズの発注側に配置される発注側装置と、当該眼鏡レンズの玉型加工側に配置される受注側装置とが、通信回線を介して接続されてなる眼鏡レンズ受発注システムであって、前記発注側装置は、コンピュータ部と、前記コンピュータ部への情報入力を行う操作部と、前記コンピュータ部からの指示に従って画像表示を行う表示部と、を備えており、前記コンピュータ部は、前記表示部が画像表示している前記眼鏡レンズの玉型形状を前記操作部での操作内容に従いつつ変形させる玉型変形手段と、前記眼鏡レンズの基になる未加工レンズの形状レイアウトに関する情報を取得する情報取得手段と、前記玉型変形手段による玉型形状の変形にあたり、前記情報取得手段が取得した情報から特定される前記未加工レンズの形状レイアウトを、当該玉型形状と合わせて前記表示部に画像表示させる表示制御手段と、を備えることを特徴とする眼鏡レンズ受発注システムである。
本発明の第２の態様は、第１の態様に記載の発明において、前記コンピュータ部は、前記表示制御手段が眼鏡レンズの玉型形状およびその基になる未加工レンズの形状レイアウトを前記表示部に画像表示させている状態で、当該眼鏡レンズについてのレンズ指定情報または当該眼鏡レンズと当該未加工レンズとの位置関係についてのレイアウト情報の少なくとも一方の変更を受け付けるデータ修正手段を備えており、前記表示制御手段は、前記データ修正手段がデータ変更を受け付けると、変更後のデータ内容により特定される玉型形状および形状レイアウトを前記表示部に再表示させることを特徴とする。
本発明の第３の態様は、第１または第２の態様に記載の発明において、前記コンピュータ部は、前記玉型変形手段による変形後の眼鏡レンズの玉型形状についてのデータを当該眼鏡レンズの識別データと関連付けて記憶保持するデータ記憶手段を備え、または当該データ記憶手段へのアクセスを可能にする通信手段を備えることを特徴とする。
本発明の第４の態様は、眼鏡レンズの発注側に配置される発注側装置と、当該眼鏡レンズの玉型加工側に配置される受注側装置とが、通信回線を介して接続されてなる眼鏡レンズ受発注システムの、前記発注側装置にて用いられる眼鏡レンズ発注プログラムであって、前記発注側装置は、コンピュータ部と、前記コンピュータ部への情報入力を行う操作部と、前記コンピュータ部からの指示に従って画像表示を行う表示部と、を備えており、前記眼鏡レンズ発注プログラムは、前記発注側装置における前記コンピュータ部を、前記表示部が画像表示している前記眼鏡レンズの玉型形状を前記操作部での操作内容に従いつつ変形させる玉型変形手段と、前記眼鏡レンズの基になる未加工レンズの形状レイアウトに関する情報を取得する情報取得手段と、前記玉型変形手段による玉型形状の変形にあたり、前記情報取得手段が取得した情報から特定される前記未加工レンズの形状レイアウトを、当該玉型形状と合わせて前記表示部に画像表示させる表示制御手段として機能させるものであることを特徴とする眼鏡レンズ発注プログラムである。
本発明の第５の態様は、第４の態様に記載の発明において、前記コンピュータ部を、前記表示制御手段が眼鏡レンズの玉型形状およびその基になる未加工レンズの形状レイアウトを前記表示部に画像表示させている状態で、当該眼鏡レンズについてのレンズ指定情報または当該眼鏡レンズと当該未加工レンズとの位置関係についてのレイアウト情報の少なくとも一方の変更を受け付けるデータ修正手段として機能させ、前記表示制御手段は、前記データ修正手段がデータ変更を受け付けると、変更後のデータ内容により特定される玉型形状および形状レイアウトを前記表示部に再表示させることを特徴とする。
本発明の第６の態様は、眼鏡レンズの発注側に配置される発注側装置と、当該眼鏡レンズの玉型加工側に配置される受注側装置とが、通信回線を介して接続されてなる眼鏡レンズ受発注システムで用いられる眼鏡レンズ発注方法であって、前記発注側装置は、コンピュータ部と、前記コンピュータ部への情報入力を行う操作部と、前記コンピュータ部からの指示に従って画像表示を行う表示部と、を備えて構成されており、前記表示部が画像表示している前記眼鏡レンズの玉型形状を前記操作部での操作内容に従いつつ前記コンピュータ部が変形させる玉型変形ステップと、前記眼鏡レンズの基になる未加工レンズの形状レイアウトに関する情報を前記コンピュータ部が取得する情報取得ステップと、前記玉型変形ステップでの玉型形状の変形にあたり、前記情報取得ステップで取得した情報から特定される前記未加工レンズの形状レイアウトを、前記コンピュータ部が当該玉型形状と合わせて前記表示部に画像表示させる表示制御ステップと、を備えることを特徴とする眼鏡レンズ発注方法である。
【発明の効果】
【０００９】
本発明によれば、眼鏡レンズの玉型形状の変形に対応する場合であっても、レンズレイアウトの不具合が生じないように未加工レンズの形状レイアウトを確認しながら形状変更を行えるので、当該眼鏡レンズの発注処理を従来システムよりも迅速に行うことができ、発注処理に要する時間についての顧客の不満や操作者の煩わしさ等を解消することができる。
【図面の簡単な説明】
【００１０】
【図１】本発明に係る眼鏡レンズ受発注システムのシステム全体の構成例を示すブロック図である。
【図２】本発明に係る眼鏡レンズ受発注システムにおける発注側装置の機能構成例を示すブロック図である。
【図３】本発明に係る眼鏡レンズ受発注システムにおける発注側装置での眼鏡レンズの発注処理の手順の概要を示すフローチャートである。
【図４】本発明に係る眼鏡レンズ受発注システムの発注側装置において、眼鏡レンズの発注処理の過程での表示部による表示画像の具体例を模式的に示す説明図（その１）である。
【図５】本発明に係る眼鏡レンズ受発注システムの発注側装置において、眼鏡レンズの発注処理の過程での表示部による表示画像の具体例を模式的に示す説明図（その２）である。
【図６】本発明に係る眼鏡レンズ受発注システムの発注側装置において、眼鏡レンズの発注処理の過程での表示部による表示画像の具体例を模式的に示す説明図（その３）である。
【図７】本発明に係る眼鏡レンズ受発注システムの発注側装置において、眼鏡レンズの発注処理の過程での表示部による表示画像の具体例を模式的に示す説明図（その４）である。
【図８】本発明に係る眼鏡レンズ受発注システムの発注側装置において、眼鏡レンズの発注処理の過程での表示部による表示画像の具体例を模式的に示す説明図（その５）である。
【図９】本発明に係る眼鏡レンズ受発注システムの発注側装置において、眼鏡レンズの発注処理の過程での表示部による表示画像の具体例を模式的に示す説明図（その６）である。
【図１０】本発明に係る眼鏡レンズ受発注システムの発注側装置において、眼鏡レンズの発注処理の過程での表示部による表示画像の具体例を模式的に示す説明図（その７）である。
【図１１】本発明に係る眼鏡レンズ受発注システムの発注側装置において、眼鏡レンズの発注処理の過程での表示部による表示画像の具体例を模式的に示す説明図（その８）である。
【発明を実施するための形態】
【００１１】
以下、本発明の実施形態を、図面に基づいて説明する。
【００１２】
本実施形態では、以下の順序で項分けをして説明を行う。
１．システム全体の構成例
２．発注側装置の機能構成例
３．受発注処理の手順
４．本実施形態の効果
５．変形例等
【００１３】
＜１．システム全体の構成例＞
図１は、眼鏡レンズ受発注システムのシステム全体の構成例を示すブロック図である。
図例のシステム構成では、眼鏡レンズの発注側である眼鏡店１と、当該眼鏡レンズの玉型加工側である眼鏡レンズメーカの加工センタ２とが、インターネット等の通信回線３を介して接続されている。なお、図例では、眼鏡店１が一つである場合を示しているが、実際には複数の眼鏡店１が通信回線３を介して加工センタ２と接続されている。
【００１４】
眼鏡店１には、発注側装置１１が配置されている。発注側装置１１は、ＣＰＵ（Central Processing Unit）、ＲＡＭ（Random Access Memory）、ＨＤＤ（Hard disk drive）等の組み合わせからなりコンピュータとしての演算処理機能を有するコンピュータ部１１ａと、キーボード、マウス、タッチパネル等からなりコンピュータ部１１ａへの情報入力を行う操作部１１ｂと、ディスプレイ装置からなりコンピュータ部１１ａからの指示に従って画像表示を行う表示部１１ｃと、を備えている。そして、コンピュータ部１１ａは、図示せぬルータ等を介して通信回線３と接続しており、その通信回線３を通じて他装置とのデータ授受を行い得るように構成されている。
また、眼鏡店１において、発注側装置１１には、トレーサ１２が接続されている。トレーサ１２は、眼鏡フレームのレンズ枠の枠溝に沿った枠形状の測定や眼鏡フレームに取り付けられているオリジナルレンズ（ダミーレンズやパターン）の玉型形状を測定して、その測定結果をコンピュータ部１１ａへ入力するものである。このトレーサ１２での測定結果により、少なくともオリジナルレンズの玉型形状が特定されることになる。なお、トレーサ１２としては周知のものが使用可能である。
【００１５】
加工センタ２には、受注側装置２１が配置されている。受注側装置２１は、コンピュータとしての機能を有して構成されたもので、図示せぬルータ等を介して通信回線３と接続することで、当該通信回線３上の他装置（例えば発注側装置１１）とのデータ授受を行い得るようになっている。
また、加工センタ２において、受注側装置２１には、玉型加工装置２２と、データベース２３とが、ＬＡＮ（Local Area Network）等の通信回線２４を介して接続されている。
玉型加工装置２２は、受注側装置２１からの指示に従いつつ、眼鏡レンズの基になる未加工レンズ（すなわち、眼鏡枠形状に加工されていない、一般的には外形が丸型のアンカットレンズ）の外径形状を、指定された玉型形状に加工するものである。なお、玉型加工装置２２としては周知のものが使用可能である。
データベース２３は、未加工レンズを眼鏡レンズに加工するのにあたり必要となり得る情報（例えば未加工レンズの種類や型番等に関する情報）を記憶蓄積しているものである。
なお、加工センタ２には、受注側装置２１、玉型加工装置２２およびデータベース２３の他に、カーブジェネレータや研磨機等の加工装置、他の端末コンピュータ等（いずれも不図示）が配置されていてもよい。
【００１６】
また、通信回線３上には、眼鏡店１の発注側装置１１からのアクセスが可能に構成されたデータサーバ４が配されている。データサーバ４は、詳細を後述する「眼鏡レンズ情報」を記憶蓄積しているものである。なお、データサーバ４は、その配置箇所が特に限定されるものではない。すなわち、「眼鏡レンズ情報」を記憶蓄積しており、かつ、発注側装置１１からのアクセスが可能であれば、加工センタ２におけるデータベース２３や他の図示せぬデータベース等に、データサーバ４としての機能を担わせることも考えられる。
【００１７】
以上のような構成の眼鏡レンズ受発注システムでは、眼鏡店１にて、発注側装置１１の操作部１１ｂを操作する店員が、顧客が所望する眼鏡フレームのレンズ形状（玉型形状）やレンズ処方値等に関するデータを入力すると、その発注側装置１１のコンピュータ部１１ａが通信回線３を通じて入力データを受注側装置２１へ送信することで、眼鏡レンズの発注を行う。そして、加工センタ２の側では、受注側装置２１が発注側装置１１からの発注を受けると、その発注内容（すなわち発注側装置１１からの送信データの内容）に従いつつ、玉型加工装置２２等が眼鏡レンズの基になる未加工レンズの外径形状を指定された玉型形状に加工する。
ただし、発注側装置１１においては、眼鏡レンズ発注にあたり、詳細を後述するように、変形前のオリジナル玉型の形状を表示部１１ｃに画像表示しつつ、その表示画面上での玉型形状の変形を行えるようになっている。
【００１８】
＜２．発注側装置の機能構成例＞
次に、眼鏡レンズ受発注システムにおける発注側装置１１の機能構成について説明する。
【００１９】
上述したように、発注側装置１１は、眼鏡レンズの発注にあたり、その眼鏡レンズの玉型形状の変形に対応し得る。ところが、眼鏡レンズの玉型形状の変形に対応する場合であっても、従来システムとは異なり、レンズレイアウトの不具合が生じることなく当該眼鏡レンズの発注処理の迅速化を実現可能にすべきである。
この点につき、本願発明者は鋭意検討を行った。その結果、レンズレイアウトの不具合が生じないように未加工レンズの形状レイアウトを確認しながら眼鏡レンズの玉型形状の変更を行えれば、眼鏡レンズの玉型形状の変形に対応する場合であっても、当該眼鏡レンズの発注処理の迅速化が実現可能であるとの着想を得た。そして、さらに鋭意検討を重ね、眼鏡レンズの基になる未加工レンズの製造メーカであれば、未加工レンズの形状レイアウトに関する情報を保持しているという点に着眼し、当該情報を発注側装置１１に取得させ、これを表示部１１ｃにて画像表示させて視認可能にするという、従来システムにはない仕組みを導入すれば、未加工レンズの形状レイアウトを確認しながら眼鏡レンズの玉型形状の変更を行うことが可能であるとの知見に至った。
本実施形態の眼鏡レンズ受発注システムにおける発注側装置１１は、上述した本願発明者による新たな知見に基づいて案出されたもので、コンピュータ部１１ａが以下に述べるような機能構成を備えている。
【００２０】
図２は、眼鏡レンズ受発注システムにおける発注側装置１１の機能構成例を示すブロック図である。
図例に示すように、発注側装置１１のコンピュータ部１１ａは、入力受付手段５１、情報取得手段５２、表示制御手段５３、玉型変形手段５４、データ修正手段５５、発注処理手段５６およびデータ記憶手段５７として機能するように構成されている。
【００２１】
入力受付手段５１は、発注側装置１１の操作部１１ｂからの情報入力と、トレーサ１２からの情報入力と、を受け付けるものである。操作部１１ｂから入力される情報にはレンズ指定情報６１およびレイアウト情報６２が含まれ、トレーサ１２から入力される情報には眼鏡枠情報６３が含まれる。
レンズ指定情報６１は、顧客が所望する眼鏡レンズの基になる未加工レンズの特定に必要となる情報であり、具体的には未加工レンズのメーカ名およびレンズ型番を指定する情報（詳細を後述する「眼鏡レンズ情報」の一部に相当）やレンズの処方値等によって構成される。処方値は、顧客の視環境に適合するように処置された眼鏡レンズの度数値であり、具体的には左右眼の球面度数、円柱（乱視）度数、円柱（乱視）軸度、プリズム度数、加入度等のことである。なお、レンズ指定情報６１は、未加工レンズを特定し得るものであればよく、ここで挙げた以外の項目を含んで構成されたものであってもよい。
レイアウト情報６２は、レンズの光学中心を装用者の瞳孔の位置に合わせるための情報であり、眼鏡枠の幾何中心（フレームセンタ）を基準にしてフィッティングポイント（アイポイント）位置を示したものである。具体的には、ＰＤ（遠用瞳孔間距離）、ＮＰＤ（近用瞳孔間距離）、ＳＥＧ（セグメント小玉位置）、ＥＰ（アイポイント）、ＦＰＤ（幾何中心間距離）等の項目によって構成される。
眼鏡枠情報６３は、眼鏡レンズの変形前のオリジナル玉型の形状を特定するデータであり、ツーポイントフレームにおける取付穴データ（穴位置、穴径、穴深さ等）、ナイロールフレームにおける溝データ（溝幅、溝深さ、玉型変形の場合の固定箇所データ等）、ナイロールフレームにおける変形不可領域（または変形可能領域）等が含まれる。なお、眼鏡枠情報６３については、トレーサ１２から入力されるのではなく、発注側装置１１が備える記憶装置や通信回線３上に存在するサーバ装置等から入力受付手段５１が取得するものであっても構わない。
【００２２】
情報取得手段５２は、従来システムにはない新規機能の一つであり、通信回線３を通じてデータサーバ４へアクセスし、そのデータサーバ４から眼鏡レンズ情報６４を取得するものである。
眼鏡レンズ情報６４は、眼鏡レンズの基になる未加工レンズについての情報であり、具体的には未加工レンズのメーカ名およびレンズ型番を特定する情報や、当該未加工レンズのレンズ種類（単焦点レンズ、累進レンズ、バイフォーカル（多重焦点）、カラーやコート種等）、レンズ材質（ガラス、プラスチックの別等）等を特定する情報を含む。
さらに、眼鏡レンズ情報６４は、未加工レンズの形状レイアウトに関する情報をも含む。ここでいう「形状レイアウト」とは、未加工レンズの外形形状、アイポイントの位置、累進レンズの場合の遠用部および近用部の配置、バイフォーカルレンズの場合の小玉の配置等のことをいう。このような形状レイアウトを特定し得るものであれば、眼鏡レンズ情報６４のデータ形式が特に限定されることはなく、どのようなデータ形式のものであっても構わない。
【００２３】
表示制御手段５３は、眼鏡レンズの発注にあたり、当該発注のための表示画面の画像を作成し、その作成画像を表示部１１ｃに表示させるものである。この表示制御手段５３による作成画像には、発注操作を行うためのＧＵＩ（Graphical User Interface）画像の他に、眼鏡レンズの玉型形状等についての画像が含まれる。
さらに、表示制御手段５３は、従来システムにはない新規機能として、眼鏡レンズの基になる未加工レンズの形状レイアウトを、その眼鏡レンズの玉型形状と合わせて、表示部１１ｃに画像表示させる機能を有している。未加工レンズの形状レイアウトの画像は、情報取得手段５２が取得した眼鏡レンズ情報６４から特定される内容に基づいて生成すればよい。
なお、この表示制御手段５３による眼鏡レンズの玉型形状および未加工レンズの形状レイアウトの表示画像については、後述する「３．受発注処理の手順」にて具体例を挙げつつ詳しく説明する。
【００２４】
玉型変形手段５４は、眼鏡レンズの玉型形状の変形に対応するための機能である。さらに詳しくは、表示制御手段５３が表示部１１ｃに画像表示させている眼鏡レンズの玉型形状を、操作部１１ｂでの操作内容に従いつつ、その表示画面上にて顧客が所望する形状に変形させるものである。玉型形状を変形させる手法は、特に限定されるものではなく、例えば、上記特許文献１，２のように数値入力によって行うものであっても、上記特許文献３のように画面上で専用の変形ツールを用いて行うものであってもよい。
【００２５】
データ修正手段５５は、従来システムにはない新規機能の一つであり、表示部１１ｃによる表示画面上にてレンズ指定情報６１またはレイアウト情報６２の変更（再入力）を受け付けるものである。さらに詳しくは、表示制御手段５３が眼鏡レンズの玉型形状およびその基になる未加工レンズの形状レイアウトを表示部１１ｃに画像表示させている状態で、その眼鏡レンズのレンズ指定情報６１またはレイアウト情報６２の少なくとも一方につき、既に入力受付手段５１が入力を受け付けている内容の変更（再入力）を受け付けるものである。なお、データ修正手段５５がデータ変更を受け付けると、変更後のデータ内容により特定される眼鏡レンズの玉型形状および未加工レンズの形状レイアウトは、表示制御手段５３が表示部１１ｃに再表示させるようになっている。
【００２６】
発注処理手段５６は、眼鏡レンズの発注内容が確定すると、その発注内容（すなわち確定後のレンズ指定情報６１、レイアウト情報６２、眼鏡枠情報６３等）を、受注側装置２１へ通信回線３を通じて送信することで、当該眼鏡レンズの発注を行うものである。なお、眼鏡レンズの発注にあたり、玉型変形手段５４による玉型形状の変形や、データ修正手段５５によるデータ内容の変更等があった場合には、その変形や変更等が反映された状態で、発注処理手段５６が受注側装置２１への発注を行うことになる。
【００２７】
データ記憶手段５７は、必要に応じて、発注処理手段５６による発注内容を、発注元となる顧客、発注処理、発注された眼鏡レンズ等の識別データを関連付けて、発注済データ６５として記憶保持するものである。記憶保持する発注済データ６５には、玉型変形手段５４による玉型形状の変形が行われた場合であれば、その変形後の眼鏡レンズの玉型形状についてのデータが含まれる。つまり、玉型形状の変形が行われた場合、データ記憶手段５７は、変形後の眼鏡レンズの玉型形状についてのデータを、その眼鏡レンズの識別データと関連付けて記憶保持することになる。
【００２８】
これらのうち、データ記憶手段５７を除く他の各手段５１〜５６は、コンピュータ部１１ａのＨＤＤ等にインストールされた所定プログラムを、当該コンピュータ部１１ａのＣＰＵが実行することによって実現される。つまり、発注側装置１１のコンピュータ部１１ａにおける各手段５１〜５６としての機能は、当該コンピュータ部１１ａを各手段５１〜５６として機能させる所定プログラム（眼鏡レンズ発注プログラム）によって実現することが可能である。その場合に、眼鏡レンズ発注プログラムは、コンピュータ部１１ａのＨＤＤ等へのインストールに先立ち、通信回線３を通じて提供されるものであってもよいし、あるいはコンピュータ部１１ａで読み取り可能な記憶媒体に格納されて提供されるものであってもよい。
【００２９】
また、データ記憶手段５７については、コンピュータ部１１ａのＨＤＤ等における記憶領域の一部を用いて実現することが考えられる。ただし、データ記憶手段５７は、必ずしも発注側装置１１のコンピュータ部１１ａに内在している必要はなく、データ記憶手段５７へのアクセスを可能にする通信手段（ただし不図示）をコンピュータ部１１ａが備えていれば、発注側装置１１とは別の装置（例えばデータサーバ４における記憶領域の一部）に配されていてもよい。また、コンピュータ部１１ａに内在するデータ記憶手段５７と、通信手段を介してアクセスし得る別装置のデータ記憶手段５７とが併存する場合には、データ保存先を選択する設定手段としての機能をコンピュータ部１１ａが備えていても良い。以上に説明した場合において、通信手段および設定手段は、上述した各手段５１〜５６と同様に、コンピュータ部１１ａでの所定プログラムの実行によって実現されることになる。
【００３０】
＜３．受発注処理の手順＞
次に、上述した構成の眼鏡レンズ受発注システムにおける眼鏡レンズの受発注処理の手順について説明する。ここでは、発注側装置１１での眼鏡レンズの発注処理について説明を行い、他の処理については従来システムとの相違がないため説明を省略する。
【００３１】
（眼鏡レンズの発注処理の手順の概要）
図３は、眼鏡レンズ受発注システムにおける発注側装置１１での眼鏡レンズの発注処理の手順の概要を示すフローチャートである。
【００３２】
眼鏡店１から加工センタ２に対して眼鏡レンズを発注する場合、眼鏡店１における発注側装置１１においては、先ず、コンピュータ部１１ａの表示制御手段５３が、発注操作を行うためのＧＵＩ画像を表示部１１ｃに表示させる。
【００３３】
そして、眼鏡レンズの発注にあたり、眼鏡店１の店員が表示部１１ｃのＧＵＩ画像を参照しながら顧客からの要望に応じつつ操作部１１ｂを操作して、レンズ指定情報６１およびレイアウト情報６２を含む各種情報の入力を行う。これらの各種情報が入力されると、コンピュータ部１１ａでは、入力受付手段５１が入力された各種情報を受け付けるとともに、少なくともレンズ指定情報６１およびレイアウト情報６２についてＲＡＭやＨＤＤ等の記憶装置を用いて一時的に保持しておく（ステップ１０１、以下ステップを「Ｓ」と略す）。
【００３４】
また、眼鏡店１では、店員がトレーサ１２を動作させて、顧客が所望する眼鏡フレームに取り付けられているオリジナルレンズの玉型形状を測定する。そして、その測定結果を、発注すべき眼鏡レンズの眼鏡枠情報６３として、トレーサ１２から発注側装置１１のコンピュータ部１１ａへ入力する。トレーサ１２からのデータ入力があると、コンピュータ部１１ａでは、入力された眼鏡枠情報６３を入力受付手段５１が受け付け、レンズ指定情報６１等の場合と同様に、ＲＡＭやＨＤＤ等の記憶装置を用いて一時的に保持しておく（Ｓ１０２）。なお、発注すべき眼鏡レンズの眼鏡枠情報６３が発注側装置１１の記憶装置や通信回線３上に存在するサーバ装置等から取得可能な場合には、これらのデータ存在箇所から入力受付手段５１が眼鏡枠情報６３を取り込むようすることも考えられる。つまり、この場合、トレーサ１２による測定動作は不要となる。
【００３５】
入力受付手段５１がレンズ指定情報６１、レイアウト情報６２および眼鏡枠情報６３を受け付けた後は、次いで、操作部１１ｂにて眼鏡レンズの玉型形状の変形を行う旨を要求する操作が行われたか否かを、コンピュータ部１１ａの表示制御手段５３が判定する（Ｓ１０３）。これは、ツーポイントやナイロール等といった枠なしフレーム（一部枠なしも含む）について、玉型形状の変形（一部変形も含む）に対応するためのものである。玉型形状の変形を行う旨の要求の有無については、操作部１１ｂで玉型変形を要求する所定操作が行われたか否かによって判定することが可能である。
【００３６】
玉型形状を変形する旨の要求があった場合は（Ｓ１０３でｙｅｓ）、次いで、コンピュータ部１１ａでは、情報取得手段５２が通信回線３を通じてデータサーバ４へアクセスし、そのデータサーバ４から眼鏡レンズ情報６４を取得する（Ｓ１０４）。このとき、情報取得手段５２は、発注すべき眼鏡レンズのレンズ指定情報６１等に基づいて、当該眼鏡レンズの基になる未加工レンズ、すなわち当該レンズ指定情報６１の内容から型番等が特定される未加工レンズについて、その形状レイアウトに関する眼鏡レンズ情報６４を取得するようになっている。
【００３７】
その後、コンピュータ部１１ａでは、表示制御手段５３が、入力受付手段５１で受け付けた眼鏡枠情報６３から特定される眼鏡レンズの玉型形状と、情報取得手段５２が取得した眼鏡レンズ情報６４から特定される未加工レンズの形状レイアウトとを、表示部１１ｃに画像表示させる（Ｓ１０５）。このとき、表示制御手段５３は、眼鏡レンズの基になる未加工レンズの形状レイアウトを、その眼鏡レンズの玉型形状と合わせて、表示部１１ｃに画像表示させる。ここで、眼鏡レンズの玉型形状と「合わせて」とは、眼鏡レンズと未加工レンズとの位置関係を保ちながらそれぞれの画像を平面的に合成して、との意である。すなわち、表示制御手段５３は、入力受付手段５１で受け付けたレイアウト情報６２から特定される眼鏡レンズと未加工レンズとの位置関係を把握しつつ、その位置関係通りに眼鏡レンズの玉型形状の画像と未加工レンズの形状レイアウトの画像とを合成して、同一画面上にてそれぞれの画像が視認可能となるようにする。
【００３８】
表示制御手段５３からの指示に従いつつ表示部１１ｃが画像表示を行うと、コンピュータ部１１ａでは、玉型変形手段５４が眼鏡レンズの玉型形状の変形処理を実行する（Ｓ１０６）。具体的には、例えば操作部１１ｂでの変形量の数値入力や専用変形ツールを用いた図形変形等といった操作内容に従いつつ、表示部１１ｃが画像表示している眼鏡レンズの玉型形状を変形させる。これにより、表示部１１ｃの表示画面上では、眼鏡レンズの玉型形状が、オリジナル玉型の形状から顧客の所望する形状に変形されることになる。
【００３９】
ただし、このとき、表示部１１ｃの表示画面上には、眼鏡レンズの玉型形状と合わせて、未加工レンズの形状レイアウトが画像表示されている。したがって、眼鏡レンズの玉型形状の変形処理に際して、操作部１１ｂの操作者は、表示部１１ｃに画像表示されている未加工レンズの形状レイアウトを参照しながら、当該変形処理のための操作を行うことができる。つまり、未加工レンズの形状レイアウトを参照しながら玉型形状の変形を行えるので、レンズレイアウトに不具合が生じないように、変形後の玉型形状を決定することができる。さらに具体的には、累進レンズの場合であれば遠用部または近用部が玉型変形により切れてしまう（眼鏡枠から外れてしまう）ような不具合や、バイフォーカルレンズの場合であれば小玉の形状が不自然であったり見た目が良くないといった不具合等が生じないようにすることができる。また、形状レイアウトには未加工レンズの外形形状も含まれるので、玉型変更によって生じ得る径不足エラーも併せて確認できる。
【００４０】
ところで、眼鏡レンズの玉型形状を変形させる場合は、上述したように、未加工レンズの形状レイアウトを参照すれば、レンズレイアウトに不具合が生じないような変形後の玉型形状を決定することができる。しかしながら、このようにして決定した変形後の玉型形状は、必ずしも顧客が所望する玉型形状になるとは限らない。つまり、レンズレイアウトに不具合が生じないようにしつつ、変形後の玉型形状を顧客が所望する形状と一致させるためには、未加工レンズの形状レイアウトについての修正が必要になる場合もあり得る。また、未加工レンズの径不足エラーが生じた場合についても同様である。なお、ここでいう「未加工レンズの形状レイアウトについての修正」には、未加工レンズ自体を別の形状レイアウトのものにすること（すなわちレンズ指定情報６１の修正）の他に、眼鏡レンズと未加工レンズとの位置関係を修正すること（すなわちレイアウト情報６２の修正）も含む。
ところが、従来システムでは、玉型変形中には形状レイアウトの確認はできず、この段階でのレンズ変更は行わない。つまり、玉型変形を確定後、発注処理手段の「問い合わせ」を使用するか実際に発注を行い、その結果でしか最終レイアウトは確認できなかった。そのため、従来システムにおいて、未加工レンズの形状レイアウトを修正する場合には、全ての処理を一からやり直すことになり、操作者が煩わしさを感じてしまうおそれがある。また、これにより、迅速な発注処理の実現も困難になるので、顧客が不満を感じてしまうおそれもある。
そこで、本実施形態の眼鏡レンズ受発注システムにおける発注側装置１１では、情報入力画面まで戻ることなく、玉型変形画面上にて操作を継続して行えるように、以下に述べる処理を行う。
【００４１】
玉型変形手段５４が玉型形状を変形させると、その後、コンピュータ部１１ａの表示制御手段５３は、変形処理を確定する旨の所定操作が操作部１１ｂで行われたか否かを監視する（Ｓ１０７）。そして、変形処理を確定する旨の所定操作がなければ（Ｓ１０７でｎｏ）、次いで、コンピュータ部１１ａの表示制御手段５３は、未加工レンズの形状レイアウトについての修正を要求する旨の所定操作が操作部１１ｂで行われたか否かを監視する（Ｓ１０８）。
【００４２】
その結果、レイアウト修正を要求する所定操作がなければ（Ｓ１０８でｎｏ）、コンピュータ部１１ａの表示制御手段５３および玉型変形手段５４は、そのまま眼鏡レンズの玉型形状を変形させるための処理を継続して行う（Ｓ１０６〜Ｓ１０８）。
【００４３】
これに対して、レイアウト修正を要求する所定操作があった場合（Ｓ１０８でｙｅｓ）、コンピュータ部１１ａの表示制御手段５３は、レイアウト修正のためのＧＵＩ画像を表示部１１ｃに画像表示させる。さらに詳しくは、眼鏡レンズの玉型形状および未加工レンズの形状レイアウトを表示している表示部１１ｃの表示画面上に、これらの表示画像と合わせて、レイアウト修正のためのＧＵＩ画像として、レンズ指定情報６１とレイアウト情報６２との少なくとも一方、望ましくはこれらの両方を入力するためのＧＵＩ画像を画像表示させる。
なお、表示制御手段５３は、眼鏡レンズの玉型形状および未加工レンズの形状レイアウトの画像表示当初から、レイアウト修正のためのＧＵＩ画像を合わせて表示させてよい。その場合は、ＧＵＩ画像のデータ入力欄へのデータ入力があった時点で、レイアウト修正を要求する操作があったと判断すればよい。
【００４４】
ＧＵＩ画像のデータ入力欄へのレンズ指定情報６１またはレイアウト情報６２の入力が操作部１１ｂで行われると、コンピュータ部１１ａでは、データ修正手段５５がレンズ指定情報６１またはレイアウト情報６２の変更（再入力）を受け付ける（Ｓ１０９）。つまり、データ修正手段５５は、眼鏡レンズの玉型形状および未加工レンズの形状レイアウトを表示部１１ｃに画像表示させている状態で、レンズ指定情報６１またはレイアウト情報６２の少なくとも一方につき、既に入力されている内容の変更（再入力）を受け付けることなる。
【００４５】
このようなデータの変更（再入力）をデータ修正手段５５が受け付けると、コンピュータ部１１ａでは、その変更後データから特定される眼鏡レンズ情報６４を情報取得手段５２が新たに取得する（Ｓ１０４）。そして、変更後データから特定される眼鏡レンズの玉型形状と、新たに取得した眼鏡レンズ情報６４から特定される未加工レンズの形状レイアウトとを、表示制御手段５３が表示部１１ｃに画像表示させる（Ｓ１０５）。これ以降、コンピュータ部１１ａでは、再び上述した一連の処理を繰り返し行う（Ｓ１０６〜Ｓ１０９）。
【００４６】
つまり、上述したようなデータ変更（再入力）が行われると、変更後のデータ内容により特定される眼鏡レンズの玉型形状および未加工レンズの形状レイアウトが、当該玉型変形画面上に再表示されることになる。したがって、顧客が所望する玉型形状を得るために未加工レンズの形状レイアウトの修正が必要になっても、操作部１１ｂの操作者は、処理当初の情報入力画面まで戻ることなく、玉型変形画面から操作を継続的に行うことができる。そして、未加工レンズの形状レイアウトの修正をすることで、レンズレイアウトに不具合が生じないようにしつつ、変形後の玉型形状を顧客が所望する形状と一致させることが実現可能となる。また、未加工レンズの径不足エラーが生じた場合についても、未加工レンズの形状レイアウトの修正をすることで、その径不足エラーの解消を図ることが実現可能となる。
【００４７】
以上のような一連の処理の実行後、玉型形状の変形処理を確定する旨の所定操作があった場合（Ｓ１０７でｙｅｓ）、または当初から玉型形状を変形する旨の要求がなかった場合（Ｓ１０３でｎｏ）、コンピュータ部１１ａでは、確定した発注内容（すなわち確定後のレンズ指定情報６１、レイアウト情報６２、眼鏡枠情報６３等）を、発注処理手段５６が通信回線３を通じて受注側装置２１へ送信することで、眼鏡レンズの発注を行う（Ｓ１１０）。
【００４８】
発注処理手段５６が眼鏡レンズの発注処理を行うと、コンピュータ部１１ａでは、必要に応じて、データ記憶手段５７が発注済データ６５を記憶保持しておく。ここで、「必要に応じて」とは、必ずしも全ての発注内容を記憶保持する必要はないとの意である。つまり、データ記憶手段５７は、少なくとも発注処理手段５６による発注内容のうちの一部を発注済データ６５として記憶保持するものであればよい。具体的には、玉型形状の変形が行われた場合には、変形後の眼鏡レンズの玉型形状についてのデータを、その眼鏡レンズの識別データと関連付けて記憶保持しておくことが考えられる。ただし、データ記憶手段５７が全ての発注内容を記憶保持するようにしても構わない。
【００４９】
このように、データ記憶手段５７が変形後の玉型形状についてのデータ（変形履歴）を記憶保持する機能を備えていれば、それ以降に同一の眼鏡レンズを発注する場合に、データ記憶手段５７内の記憶データを再利用しつつ当該発注を行うことが可能になる。
また、変形後の眼鏡レンズの玉型形状についてのデータを、その眼鏡レンズの識別データと関連付けて記憶保持するので、単なる変更履歴としての記憶保持に止まらず、玉型形状とレンズレイアウトとの関係等についても記憶保持することになると言える。したがって、眼鏡レンズを発注する際に変更履歴を参照し得るだけではなく、データ記憶手段５７内の記憶データを玉型変形の際の指針として利用することも可能となる。具体的には、この種の未加工レンズであれば、この程度の玉型変形まで行うことが可能であるといった判断を、データ記憶手段５７内の記憶データを参照しつつ行えるようにもなる。
【００５０】
（眼鏡レンズの発注処理の具体例）
次に、上述した一連の手順による眼鏡レンズの発注処理について、表示部１１ｃでの表示画像の具体例を挙げつつ、さらに詳しく説明する。ここでは、主として、本実施形態の眼鏡レンズ受発注システムにおける発注側装置１１での特徴的な処理である、眼鏡レンズの玉型形状の変形に関する処理について、具体例を挙げて説明する。
【００５１】
図４〜１１は、眼鏡レンズ受発注システムの発注側装置１１において、眼鏡レンズの発注処理の過程での表示部による表示画像の具体例を模式的に示す説明図である。
【００５２】
眼鏡レンズの発注処理の過程において、発注側装置１１では、入力受付手段５１が眼鏡枠情報６３を受け付けると、その眼鏡枠情報６３から特定される眼鏡レンズの玉型形状について、表示制御手段５３からの指示に従いつつ表示部１１ｃが画像表示を行う。これにより、表示部１１ｃの表示画面上には、図４に示すように、眼鏡レンズの玉型形状の平面視画像７１ａが画像表示されることになる。このとき、表示画面上には、玉型形状の平面視画像７１ａの他に、その玉型形状の上面視画像や側面視画像等が併せて表示されていてもよい。さらに、表示画面上には、玉型形状の平面視画像７１ａの他に、その玉型形状についての数値情報（例えば、横方向の大きさを表すＡサイズ値、縦方向の大きさを表すＢサイズ値、玉型外形の周長値等）が併せて表示されていてもよい。また、表示画面上には、発注処理の継続に必要となる操作ボタンについても併せて表示されるものとする。ここで表示する操作ボタンの画像には、操作者が玉型形状の変形を行う旨の要求をするための「玉型変形ボタン」の画像７１ｂが含まれる。
【００５３】
この表示画面上にて玉型変形ボタン７１ｂがクリックされると、発注側装置１１では、情報取得手段５２が眼鏡レンズ情報６４を取得するとともに、玉型変形手段５４が起動する。そして、表示部１１ｃは、表示制御手段５３からの指示に従いつつ、表示画面上の画像表示内容を、玉型変形のための画面（以下、単に「玉型変形画面」という）に移行させる。
【００５４】
玉型変形画面上には、図５に示すように、右側（Ｒ）または左側（Ｌ）の一方の眼鏡レンズの玉型形状の平面視画像７２ａが表示されるとともに、その玉型形状の平面視画像７２ａと合わせて、情報取得手段５２が取得した眼鏡レンズ情報６４から特定される未加工レンズの形状レイアウトについての平面視画像７２ｂが表示される。これらの平面視画像７２ａ，７２ｂは、眼鏡レンズと未加工レンズとの位置関係を保ちながらそれぞれの画像を平面的に合成した状態で表示される。つまり、入力受付手段５１で受け付けたレイアウト情報６２から特定される眼鏡レンズと未加工レンズとの位置関係、さらに具体的には眼鏡レンズの幾何中心（ボクシングセンタ）に対する未加工レンズのフィッティングポイント（アイポイント）位置の関係（すなわち、レイアウト情報６２のＰＤやＥＰ等から特定される、それぞれの位置間の縦方向および横方向の離間距離）を把握しつつ、その位置関係通りに眼鏡レンズの平面視画像７２ａと未加工レンズの平面視画像７２ｂとを合成した状態で、それぞれの平面視画像７２ａ，７２ｂが同一の玉型変形画面上にて視認可能となるように表示されることになる。
なお、玉型変形画面上には、合成された状態の各平面視画像７２ａ，７２ｂの他に、眼鏡レンズの玉型形状を変形させるのに必要となる各種情報や操作ボタン等についても併せて表示されるものとする。操作ボタンには、右側（Ｒ）と左側（Ｌ）の表示切替ボタン（ただし不図示）が含まれる。
【００５５】
未加工レンズの平面視画像７２ｂは、そのレンズ種類（単焦点レンズ、累進レンズ、バイフォーカルレンズ等の別）によって異なる。したがって、各平面視画像７２ａ，７２ｂの合成態様についても、未加工レンズのレンズ種類によって異なるものとなる
【００５６】
例えば、未加工レンズが単焦点レンズである場合は、図６（ａ）に示すように、眼鏡レンズの玉型形状と合わせて未加工レンズの外形形状７３ａが表示されるとともに、眼鏡レンズのボクシングセンタ位置７３ｂ、未加工レンズのアイポイント位置７３ｃ、および、ボクシングセンタとアイポイントとのフィッティング情報（例えば、それぞれの離間距離）等が表示される。
また、例えば、未加工レンズが累進レンズである場合は、単焦点レンズである場合の表示内容に加えて、図６（ｂ）に示すように、当該累進レンズにおける遠用部７３ｄおよび近用部７３ｅの位置や範囲等が表示される。
また、例えば、未加工レンズがバイフォーカルレンズである場合は、単焦点レンズである場合の表示内容に加えて、図６（ｃ）に示すように、当該バイフォーカルレンズにおける小玉７３ｆの形状、配置位置、範囲等が表示される。
【００５７】
その後、玉型変形画面上では、操作部１１ｂでの操作内容に従いつつ、眼鏡レンズの玉型形状の変形が行われる。玉型形状の変形は、玉型変形画面上で操作者が選択した変形方法によって行われる。
【００５８】
例えば、玉型変形画面上で変形方法として「拡大・縮小変形」が選択され、さらに変形させる箇所（例えば、玉型形状の全体、Ａサイズ、Ｂサイズ、Ｂ下側等の別）が指定され、かつ、拡大縮小する大きさの数値がｍｍ単位で指定された場合（例えば図５参照）であれば、玉型変形手段５４は、玉型変形画面上の「拡大・縮小ボタン」の画像（ただし不図示）のクリックをトリガーとして、指定内容に従って変形させた後の玉型形状を所定演算によって求め、その演算結果を表示制御手段５３に通知する。変形後の玉型形状を求める所定演算は、公知技術を利用して行えばよいため、ここではその詳細についての説明を省略する。
玉型変形手段５４からの通知があると、表示制御手段５３は、図７に示すように、既に表示しているオリジナルレンズの玉型形状の平面視画像７４ａに重ねて変形後の玉型形状の平面視画像７４ｂを表示するように、表示部１１ｃに対して指示を与える。これにより、玉型変形画面上の表示内容を参照した操作者は、変形後の玉型形状がオリジナルレンズの玉型形状に比べてどの程度変形しているかを把握することができる。なお、図７（ａ）では玉型形状の全体を変形させた場合を、図７（ｂ）では玉型形状のＡサイズを変形させた場合を、図７（ｃ）では玉型形状のＢサイズを変形させた場合を、図７（ｄ）では玉型形状の下方側のみＢサイズを変形させた場合を、それぞれ示している。
また、このとき、玉型変形画面上には、玉型形状の平面視画像７４ａ，７４ｂに加えて、未加工レンズの形状レイアウトについての平面視画像（ただし図７中には不図示）についても表示されている。したがって、玉型変形画面上の表示内容を参照した操作者は、変形後の玉型形状について、レンズレイアウトに不具合が生じているか否かを容易に判断することができる。
【００５９】
また、例えば、玉型変形画面上で変形方法として「オンディマンド」が選択され、さらに変形させる箇所（例えば、上側変形、下側変形の別）が指定され、かつ、変形させる範囲が当該範囲の左側点および右側点を規定する角度の値で指定された場合（例えば図５参照）であれば、玉型変形手段５４は、玉型変形画面上の「変形開始ボタン」の画像（ただし不図示）のクリックをトリガーとして、専用変形ツールを用いた図形変形を開始する旨を表示制御手段５３に通知する。
玉型変形手段５４からの通知があると、表示制御手段５３は、玉型形状の外形を構成する指定範囲の線分について、オリジナルレンズの玉型形状とは異なる表示態様とする（例えば表示色や線種等を相違させる）ように、表示部１１ｃに対して指示を与える。そして、その表示態様が異なる線分を、操作部１１ｂの操作（例えば線分上の一点をマウスでドラッグする操作）によって変形することを実現可能にする。このときの図形処理（指定範囲の全体をどのように変形させるか）については、公知の図形処理技術を利用すればよいため、ここではその詳細についての説明を省略する。
このような図形変形のための操作が行われると、玉型変形画面上には、図８に示すように、オリジナルレンズの玉型形状の平面視画像７５ａと、表示態様が異なる線分によって示される変形後の玉型形状の平面視画像７５ｂとが、重ねて表示されることになる。したがって、玉型変形画面上の表示内容を参照した操作者は、変形後の玉型形状がオリジナルレンズの玉型形状に比べてどの程度変形しているかを把握することができる。
また、このとき、玉型変形画面上には、玉型形状の平面視画像７５ａ，７５ｂに加えて、未加工レンズの形状レイアウトについての平面視画像（ただし図８中には不図示）についても表示されている。したがって、玉型変形画面上の表示内容を参照した操作者は、変形後の玉型形状について、レンズレイアウトに不具合が生じているか否かを容易に判断することができる。
【００６０】
そして、玉型変形画面上の表示内容を参照した操作者が、顧客が所望する玉型形状が得られ、しかもレンズレイアウトに不具合が生じていないと判断すると、玉型変形画面上では、変形処理を確定する旨の所定操作として、図５に示す玉型変形画面上の「確定ボタン」の画像７２ｃがクリックされる。
【００６１】
一方、顧客が所望する玉型形状が得られていない場合、または、レンズレイアウトに不具合が生じている場合には、例えば玉型形状の変形方法として「拡大・縮小変形」が選択されている場合であれば、新たな数値を再入力することで、玉型形状の変形をやり直す。また、例えば玉型形状の変形方法として「オンディマンド」が選択されている場合であれば、変形済み画像をリセットした上で、図形変形のための操作を再度実行することで、玉型形状の変形をやり直す。
【００６２】
なお、ここでは、玉型形状の変形を、その方法として「拡大・縮小変形」が選択されて数値入力によって行う場合や、「オンディマンド」が選択されて玉型変形画面上で専用ツールを用いて行う場合を例に挙げたが、これらの変形方法に限定されることなく、これらを併用したり、あるいは全く別の変形方法を用いたりしても良い。
【００６３】
ところで、玉型形状を変形させた後であっても、顧客が所望する玉型形状を得ることと、レンズレイアウトに不具合が生じないようにすることについては、必ずしもこれらを両立させ得るとは限らない。つまり、レンズレイアウトに不具合が生じないようにしつつ、変形後の玉型形状を顧客が所望する形状と一致させるためには、未加工レンズの形状レイアウトについての修正が必要になる場合もあり得る。このような場合のために、発注側装置１１では、以下に述べるような処理を行い得る。
【００６４】
発注側装置１１では、レイアウト修正を要求する所定操作があると、レイアウト修正のためのＧＵＩ画像が表示されるとともに、データ修正手段５５が起動する。レイアウト修正を要求する所定操作としては、玉型変形画面上での「レイアウト修正ボタン」の画像（ただし不図示）のクリックが挙げられるが、他の操作（例えばキーボードにおける所定キーの操作）であっても構わない。
【００６５】
レイアウト修正のためのＧＵＩ画像の表示は、例えば、図９に示すように玉型変形画面上に重ねて行っても良いし、図１０に示すように玉型変形画面の前画面（眼鏡レンズの玉型形状の表示画面）に戻って当該表示画面上に重ねて行っても良い。また、これらの画面とは別に、例えばポップアップ画面を別ウインドウで開くことによって表示することも考えられる。
【００６６】
以下、レイアウト修正のためのＧＵＩ画像の表示内容について、具体例を挙げて説明する。レイアウト修正のためのＧＵＩ画像は、レンズ指定情報６１とレイアウト情報６２との少なくとも一方、望ましくはこれらの両方を入力するためのデータ入力欄を備えたものである。
【００６７】
具体的には、例えば図９に示すＧＵＩ画像のように、レイアウト情報６２のデータ入力欄として、ＲＰＤ（片眼瞳孔間距離）およびＥＰ（アイポイント）について数値入力を行うためのデータ入力欄７６ａを備えたものがある。さらには、ＲＰＤについて数値入力を行うことから、眼鏡レンズについての表示画像の「Ｒ／Ｌの切り替えボタン」の画像７６ｂも併せて表示するようになっている。これらの他に、ＧＵＩ画像上では、「レンズ名」や「レンズ径」等の入力項目について、入力可能に構成されていてもよい。
【００６８】
また、眼鏡レンズの発注先となる加工センタ２の中には、例えば累進レンズについて、オーダー毎に最適な非球面を設計して各々のレンズに最適な性能を与えるべく、顧客に合わせた両面設計に対応可能なものがある。また、例えばバイフォーカルレンズについても、小玉中心の内寄せ量や高さ指定など対応可能なものがある。
その場合に、ＧＵＩ画像は、例えば両面設計の累進レンズであれば、図１０に示すように、レイアウト情報６２のデータ入力欄として、ＰＤ（遠用瞳孔間距離）およびＥＰ（アイポイント）について数値入力を行うためのデータ入力欄７７ａに加えて、累進設計に必要となる「累進帯長」、「インセット量（内寄せ量とも言う）」および「近業目的距離」について数値入力を行うためのデータ入力欄７７ｂを備えることが考えられる。「累進帯長」は、遠くを見る遠用フィッティングポイントから近くを見る近用アイポイントまでの距離であり、遠くを見る度数から近くを見る度数まで変化した距離の長さに相当する。「インセット量」は、ＰＤ（遠用瞳孔間距離）とＮＰＤ（近用瞳孔間距離）との差である。「近業目的距離」は、例えば本を読むときの目から本までの距離である。同様に、例えばバイフォーカルレンズの場合には、「小玉の高さ」や「小玉中心の内寄せ量」をデータ入力欄７７ｂに備えることが考えられる（ただし不図示）。
【００６９】
なお、ここで挙げたＧＵＩ画像のデータ入力欄は、単なる具体例に過ぎない。したがって、レイアウト修正のためのＧＵＩ画像としては、ここで挙げたデータ入力欄に加えて、あるいはここで挙げたデータ入力欄に代わって、他の項目についてのデータ入力欄を備えるものであっても構わない。
【００７０】
以上のようなＧＵＩ画像を表示することで、発注側装置１１では、未加工レンズの形状レイアウトについての修正が必要になる場合であっても、処理開始当初の情報入力画面まで戻ることなく、レイアウト修正への対応を行うことが可能となる。
【００７１】
その後、例えば図１０に示すような「レイアウト確認ボタン」の画像７７ｃがクリックされると、データ修正手段５５は、レイアウト修正のためのデータ入力が完了したと判断し、データの変更（再入力）を受け付ける。そして、表示部１１ｃによる表示画面上には、変更後データから特定される内容によって、眼鏡レンズの玉型形状および未加工レンズの形状レイアウトが表示されることになる。
【００７２】
したがって、発注側装置１１では、処理開始当初の情報入力画面まで戻ることなく、未加工レンズの形状レイアウトの修正をすることができるようになり、これによりレンズレイアウトに不具合が生じないようにしつつ、変形後の玉型形状を顧客が所望する形状と一致させることが実現可能となる。また、未加工レンズの径不足エラーが生じた場合についても、未加工レンズの形状レイアウトの修正をすることで、その径不足エラーの解消を図ることが実現可能となる。
【００７３】
このようにして、レンズレイアウトに不具合が生じないようにしつつ変形後の玉型形状を顧客が所望する形状と一致させた後は、玉型形状の変形処理を確定する旨の所定操作を行うと、確定した発注内容（すなわち確定後のレンズ指定情報６１、レイアウト情報６２、眼鏡枠情報６３等）が受注側装置２１へ送信され、これにより眼鏡レンズが発注されることになる。玉型形状の変形処理を確定する旨の所定操作としては、図１０に示す画面上に表示されている「登録ボタン」の画像７７ｄのクリックが挙げられるが、他の操作（例えばキーボードにおける所定キーの操作）であっても構わない。
【００７４】
また、上述したような玉型形状の変形処理を確定する旨の所定操作があった場合には、これをトリガーにして、変形後の玉型形状についてのデータ（変形履歴）をデータ記憶手段５７に記憶保持させるようにすることも考えられる。また、上述の操作とは関係なく、変形履歴の記憶保持を行う旨の所定操作があった場合にのみ、変形後の玉型形状についてのデータ（変形履歴）をデータ記憶手段５７に記憶保持させることも考えられる。
【００７５】
このとき、データ記憶手段５７は、単なる変更履歴としての記憶保持に止まらず、玉型形状とレンズレイアウトとの関係等についても記憶保持することになる。したがって、眼鏡レンズを発注する際に変更履歴を参照し得るだけではなく、データ記憶手段５７内の記憶データを玉型変形の際の指針として利用することも可能となる。
【００７６】
具体的には、発注側装置１１において、操作部１１ｂでの所定操作（例えばキーボードにおける所定キーの操作）があると、例えば図１１に示すように、表示部１１ｃによる表示画面上に記憶保持内容に関する情報を一覧形式で表示する。そして、操作者が参照したいデータのチェックボックス７８ａがクリックされ、さらに「決定ボタン」の画像７８ｂがクリックされると、指定されたデータをデータ記憶手段５７から読み出し、そのデータによって特定される眼鏡レンズの玉型形状および未加工レンズの形状レイアウトを表示部１１ｃの表示画面上に表示する。これにより、上述したような記憶保持データの利用が実現可能となる。
【００７７】
＜４．本実施形態の効果＞
本実施形態で説明した眼鏡レンズ受発注システム、眼鏡レンズ発注プログラムおよび眼鏡レンズ発注方法によれば、以下のような効果が得られる。
【００７８】
本実施形態によれば、眼鏡レンズの玉型形状の変形にあたり、情報取得手段５２が取得した眼鏡レンズ情報６４から特定される未加工レンズの形状レイアウトを、当該玉型形状と合わせて表示部１１ｃに画像表示させるので、レンズレイアウトの不具合が生じないように未加工レンズの形状レイアウトを確認しながら玉型形状の変形を行うことができる。具体的には、例えば、累進レンズの場合であれば遠用部または近用部が玉型変形により切れてしまうような不具合や、バイフォーカルレンズの場合であれば小玉の形状が不自然であったり見た目が良くないといった不具合等が生じないようにすることができる。また、玉型変更によって生じ得る径不足エラーも併せて確認できる。したがって、眼鏡レンズの玉型形状の変形に対応する場合であっても、玉型変形後のレンズレイアウトの確認に受注側装置２１への問い合わせが必要な従来システムの場合に比べて、当該眼鏡レンズの発注処理を迅速に行うことができ、発注処理に要する時間についての顧客の不満や操作者の煩わしさ等を解消することができる。
【００７９】
また、本実施形態によれば、眼鏡レンズの玉型形状および未加工レンズの形状レイアウトを表示部１１ｃに画像表示させている状態で、データ修正手段５５がレンズ指定情報６１とレイアウト情報６２との少なくとも一方についての変更（再入力）を受け付ける。したがって、画像表示の内容を操作者が参照した結果、未加工レンズの形状レイアウトの修正が必要と判断した場合であっても、処理開始当初の情報入力画面まで戻ることなくレイアウト修正への対応が行えるようになり、これによりレンズレイアウトに不具合が生じないようにしつつ、変形後の玉型形状を顧客が所望する形状と一致させることが実現可能となる。また、未加工レンズの径不足エラーが生じた場合についても、未加工レンズの形状レイアウトの修正をすることで、その径不足エラーの解消を図ることが実現可能となる。つまり、未加工レンズの形状レイアウトに基づいて眼鏡レンズの玉型形状の変形の適否を判断した結果、レイアウト修正への対応が必要となる場合であっても、全ての処理を一からやり直すといったことがないので、操作者が煩わしさを感じてしまうことがない。また、これにより、迅速な発注処理の実現も可能になるので、顧客が不満を感じてしまうこともない。
【００８０】
また、本実施形態によれば、変形後の玉型形状についてのデータ（変形履歴）を、データ記憶手段５７が記憶保持するようになっている。したがって、それ以降に同一の眼鏡レンズを発注する場合に、データ記憶手段５７内の記憶データを再利用しつつ当該発注を行うことが可能になる。このことも、迅速な発注処理の実現に寄与することになる。さらに、データ記憶手段５７は、単なる変更履歴としての記憶保持に止まらず、玉型形状とレンズレイアウトとの関係等についても記憶保持する。したがって、眼鏡レンズを発注する際に変更履歴を参照し得るだけではなく、データ記憶手段５７内の記憶データを玉型変形の際の指針として利用することが可能となる。これらのことから、操作者や顧客等にとっては、非常に利便性に優れたものであると言える。
【００８１】
＜５．変形例等＞
以上に本発明の実施形態を説明したが、上記の開示内容は、本発明の例示的な実施形態を示すものである。すなわち、本発明の技術的範囲は、上記の例示的な実施形態に限定されるものではない。
【００８２】
例えば、上述した実施形態では、未加工レンズの形状レイアウトの修正にあたり、累進レンズについて「累進帯長」等を再入力する場合を具体例として挙げたが、単焦点レンズやバイフォーカルレンズ等についてもデータ修正に対応することは可能である。また、このようなデータ修正は、未加工レンズの形状レイアウトの修正が必要なときに行えばよい。つまり、未加工レンズの形状レイアウトの修正が不要であれば、データ修正手段５５によるデータ修正等は必須の処理ではない。
【符号の説明】
【００８３】
１…眼鏡店、２…加工センタ、３…通信回線、４…データサーバ、１１…発注側装置、１１ａ…コンピュータ部、１１ｂ…操作部、１１ｃ…表示部、１２…トレーサ、２１…受注側装置、２２…玉型加工装置、２３…データベース、２４…通信回線、５１…入力受付手段、５２…情報取得手段、５３…表示制御手段、５４…玉型変形手段、５５…データ修正手段、５６…発注処理手段、５７…データ記憶手段、６１…レンズ指定情報、６２…レイアウト情報、６３…眼鏡枠情報、６４…眼鏡レンズ情報
【図１】
0005905248.tif 000002
【図２】
0005905248.tif 000003
【図３】
0005905248.tif 000004
【図６】
0005905248.tif 000005
【図７】
0005905248.tif 000006
【図８】
0005905248.tif 000007
【図４】
0005905248.tif 000008
【図５】
0005905248.tif 000009
【図９】
0005905248.tif 000010
【図１０】
0005905248.tif 000011
【図１１】
0005905248.tif 000012